【手続補正書】
【提出日】平成15年9月19日(2003.9.19)
【手続補正１】
【補正対象書類名】明細書
【補正対象項目名】特許請求の範囲
【補正方法】変更
【補正の内容】
【特許請求の範囲】
【請求項１】
少なくとも一つのセグメント形コポリマーを含んでなる水性分散液であって、上記水性分散液が少なくとも２５％の硬／軟バランスアドバンテージ値を有する水性分散液。
【請求項２】
上記セグメント形コポリマーがくし形コポリマーであり、上記くし形コポリマーが主鎖と少なくとも一つのグラフトセグメントを含んでなり、そして上記くし形コポリマーが複数のくし形コポリマー粒子として存在する請求項１の水性分散液。
【請求項３】
上記グラフトセグメントが重合された単位としてマクロモノマーから誘導され、そして上記グラフトセグメントが上記マクロモノマーの全重量基準で５重量パーセント未満の酸含有モノマーを重合された単位として含んでなる請求項２の水性分散液。
【請求項４】
上記グラフトセグメントが非メタアクリレートモノマーから誘導される少なくとも一つの単位を重合された単位として含有する請求項２の水性分散液。
【請求項５】
（ａ）マクロモノマーの複数の水不溶性粒子を含んでなるマクロモノマー水性エマルジョンであって、
上記マクロモノマーが少なくとも一つの第１のエチレン性不飽和モノマーの重合された単位を含んでなり、上記マクロモノマーが
（ｉ）１０から１０００までの重合度、
（ｉｉ）少なくとも一つの末端のエチレン性不飽和基、
（ｉｉｉ）上記マクロモノマーの重量基準で５重量パーセント未満の重合された酸含有モノマー、および
（ｉｖ）１モルパーセント未満の重合されたメルカプタンオレフィン化合物  を更に有するものを形成し、
（ｂ）少なくとも一つの第２のエチレン性不飽和モノマーを含んでなるモノマー組成物を形成し、そして
（ｃ）上記マクロモノマー水性エマルジョンの少なくとも一部と上記モノマー組成物の少なくとも一部を組み合わせて、重合反応混合物を形成し、そして
（ｄ）開始剤の存在下で上記マクロモノマーを上記第２のエチレン性不飽和モノマーと重合させて、上記複数のくし形コポリマー粒子を生成する
工程を含んでなる重合方法により上記くし形コポリマーが調製される請求項２の水性分散液。
【請求項６】
上記重合反応混合物がマクロモレキュール有機化合物を更に含んでなる請求項５の水性分散液。
【請求項７】
（ａ）セグメント形ポリマーの水性分散液を形成し、
（ｂ）上記水性分散液を基材に塗布し、そして
（ｃ）上記塗布された水性分散液を乾燥し、あるいは乾燥させる
工程を含み、上記水性分散液が少なくとも２５％の硬／軟バランスアドバンテージ値を有する、フィルムの形成方法。
【請求項８】
（ａ）複数のくし形コポリマー粒子を含んでなる水性分散液であって、上記くし形コポリマー粒子がくし形コポリマーを含んでなり、そして上記くし形コポリマーが主鎖とそれに結合した少なくとも一つのグラフトセグメントを含んでなるものを形成し、
（ｂ）上記水性分散液を基材に塗布し、そして
（ｃ）上記塗布された水性分散液を乾燥し、あるいは乾燥させる
工程を含み、上記水性分散液が少なくとも２５％の硬／軟バランスアドバンテージ値を有する、フィルムの形成方法。
【請求項９】
（ａ）マクロモノマーの複数の水不溶性粒子を含んでなるマクロモノマー水性エマルジョンであって、上記マクロモノマーが少なくとも一つの第１のエチレン性不飽和モノマーの重合された単位を含んでなり、
上記マクロモノマーが
（ｉ）１０から１０００までの重合度、
（ｉｉ）少なくとも一つの末端のエチレン性不飽和基、
（ｉｉｉ）上記マクロモノマーの重量基準で５重量パーセント未満の重合された酸含有モノマー、および
（ｉｖ）１モルパーセント未満の重合されたメルカプタンオレフィン化合物  を更に有するものを形成し、
（ｂ）少なくとも一つの第２のエチレン性不飽和モノマーを含んでなるモノマー組成物を形成し、そして
（ｃ）上記マクロモノマー水性エマルジョンの少なくとも一部と上記モノマー組成物の少なくとも一部を組み合わせて、重合反応混合物を形成し；そして
（ｄ）開始剤の存在下で上記マクロモノマーを上記第２のエチレン性不飽和モノマーと重合させて、上記複数のくし形コポリマー粒子を生成する
工程を含んでなる重合方法により上記くし形コポリマーが製造される請求項８の方法。
【請求項１０】
請求項７または請求項８のいずれかの方法により製造されるフィルム。
【手続補正２】
【補正対象書類名】明細書
【補正対象項目名】０１１７
【補正方法】変更
【補正の内容】
【０１１７】
本発明の方法により製造される水性コポリマー組成物は種々の用途で有用である。例えば、この水性コポリマー組成物は塗料、木材コーティング、またはインク；紙コーティング；テキスタイルおよび不織バインダーおよび仕上げ剤；接着剤；マスチック；床磨き剤；皮革コーティング；プラスチック；プラスチック添加剤；石油添加剤；熱可塑性エラストマーまたはこれらの組み合わせを含む建築用および工業用コーティングで使用される。
本発明は以下の態様を包含する。
１）少なくとも一つのセグメント形コポリマーを含んでなる水性分散液であって、上記水性分散液が少なくとも２５％の硬／軟バランスアドバンテージ値を有する水性分散液。
２）上記セグメント形コポリマーがブロックコポリマー、くし形コポリマー、およびこれらの組み合わせ物からなる群から選ばれるコポリマーである項１）の水性分散液。
３）上記セグメント形コポリマーがくし形コポリマーであり、上記くし形コポリマーが主鎖と少なくとも一つのグラフトセグメントを含んでなり、そして上記くし形コポリマーが複数のくし形コポリマー粒子として存在する項１）の水性分散液。
４）上記くし形コポリマーが５０，０００から２，０００，０００の重量平均分子量を有する項３）の水性分散液。
５）上記グラフトセグメントが重合された単位としてマクロモノマーから誘導され、そして上記グラフトセグメントが上記マクロモノマーの全重量基準で５重量パーセント未満の酸含有モノマーを重合された単位として含んでなる項３）の水性分散液。
６）上記グラフトセグメントが重合された単位としてマクロモノマーから誘導され、そして上記グラフトセグメントが上記マクロモノマーの全重量基準で１重量パーセント未満の酸含有モノマーを重合された単位として含んでなる項３）の水性分散液。
７）上記グラフトセグメントが非メタアクリレートモノマーから誘導される少なくとも一つの単位を重合された単位として含有する項３）の水性分散液。
８）上記グラフトセグメントが重合された単位としてマクロモノマーから誘導され、そして上記グラフトセグメントが上記マクロモノマーの全重量基準で５重量パーセントから５０重量パーセントまでの非メタアクリレートモノマーを重合された単位として含んでなる項３）の水性分散液。
９）上記グラフトセグメントが重合された単位としてマクロモノマーから誘導され、そして上記グラフトセグメントの重合度を上記マクロモノマーの重合度として表して、上記グラフトセグメントが１０から１，０００までの重合度を有する項３）の水性分散液。
１０）上記グラフトセグメントが重合された単位としてマクロモノマーから誘導され、そして上記グラフトセグメントの重合度を上記マクロモノマーの重合度として表して、上記グラフトセグメントが１０から５０未満までの重合度を有する項３）の水性分散液。
１１）上記グラフトセグメントが３０℃から１３０℃のガラス転移温度を有する項３）の水性分散液。
１２）上記主鎖が−９０℃から５０℃のガラス転移温度を有する項３）の水性分散液。
１３）上記グラフトセグメントが上記くし形コポリマーの重量基準で１から７０重量パーセントの量で存在する項３）の水性分散液。
１４）融合剤を上記くし形コポリマーの重量基準で０重量パーセントから４０重量パーセントまでの量で更に含んでなる項３）の水性分散液。
１５）オリゴマーを上記くし形コポリマーの重量基準で１から５０重量パーセントの量で更に含んでなる項３）の水性分散液。
１６）（ａ）マクロモノマーの複数の水不溶性粒子を含んでなるマクロモノマー水性エマルジョンであって、
上記マクロモノマーが少なくとも一つの第１のエチレン性不飽和モノマーの重合された単位を含んでなり、上記マクロモノマーが
（ｉ）１０から１０００までの重合度、
（ｉｉ）少なくとも一つの末端のエチレン性不飽和基、
（ｉｉｉ）上記マクロモノマーの重量基準で５重量パーセント未満の重合された酸含有モノマー、および
（ｉｖ）１モルパーセント未満の重合されたメルカプタンオレフィン化合物  を更に有するものを形成し、
（ｂ）少なくとも一つの第２のエチレン性不飽和モノマーを含んでなるモノマー組成物を形成し、そして
（ｃ）上記マクロモノマー水性エマルジョンの少なくとも一部と上記モノマー組成物の少なくとも一部を組み合わせて、重合反応混合物を形成し、そして
（ｄ）開始剤の存在下で上記マクロモノマーを上記第２のエチレン性不飽和モノマーと重合させて、上記複数のくし形コポリマー粒子を生成する
工程を含んでなる重合方法により上記くし形コポリマーが調製される項３）の水性分散液。
１７）上記重合反応混合物がマクロモレキュール有機化合物を更に含んでなる項１６）の水性分散液。
１８）（ａ）セグメント形ポリマーの水性分散液を形成し、
（ｂ）上記水性分散液を基材に塗布し、そして
（ｃ）上記塗布された水性分散液を乾燥し、あるいは乾燥させる
工程を含み、上記水性分散液が少なくとも２５％の硬／軟バランスアドバンテージ値を有する、フィルムの形成方法。
１９）（ａ）複数のくし形コポリマー粒子を含んでなる水性分散液であって、上記くし形コポリマー粒子がくし形コポリマーを含んでなり、そして上記くし形コポリマーが主鎖とそれに結合した少なくとも一つのグラフトセグメントを含んでなるものを形成し、
（ｂ）上記水性分散液を基材に塗布し、そして
（ｃ）上記塗布された水性分散液を乾燥し、あるいは乾燥させる
工程を含み、上記水性分散液が少なくとも２５％の硬／軟バランスアドバンテージ値を有する、フィルムの形成方法。
２０）（ａ）マクロモノマーの複数の水不溶性粒子を含んでなるマクロモノマー水性エマルジョンであって、上記マクロモノマーが少なくとも一つの第１のエチレン性不飽和モノマーの重合された単位を含んでなり、
上記マクロモノマーが
（ｉ）１０から１０００までの重合度、
（ｉｉ）少なくとも一つの末端のエチレン性不飽和基、
（ｉｉｉ）上記マクロモノマーの重量基準で５重量パーセント未満の重合された酸含有モノマー、および
（ｉｖ）１モルパーセント未満の重合されたメルカプタンオレフィン化合物  を更に有するものを形成し、
（ｂ）少なくとも一つの第２のエチレン性不飽和モノマーを含んでなるモノマー組成物を形成し、そして
（ｃ）上記マクロモノマー水性エマルジョンの少なくとも一部と上記モノマー組成物の少なくとも一部を組み合わせて、重合反応混合物を形成し；そして
（ｄ）開始剤の存在下で上記マクロモノマーを上記第２のエチレン性不飽和モノマーと重合させて、上記複数のくし形コポリマー粒子を生成する
工程を含んでなる重合方法により上記くし形コポリマーが製造される項１９）の方法。
２１）上記重合反応混合物がマクロモレキュール有機化合物を更に含んでなる項２０）の方法。
２２）項１８）または項１９）のいずれかの方法により製造されるフィルム。